(57)【要約】      （修正有）【課題】人感センサを用いた情報処理装置において待機モードにするために、ユーザの意思に反して電源のオン、オフが行なわれてしまうおそれを低減させる。【解決手段】動きを検知する第１のセンサと、動きを検知する第２のセンサと、前記第１のセンサと前記第２のセンサの検知結果に応じて前記情報処理装置を制御する制御部とを有し、前記第１のセンサが動きを検知し、前記第２のセンサが動きを検知しなかった場合に、前記制御部が所定の処理を行うように構成する。【選択図】図２
2011028529.tif 000002
【特許請求の範囲】
【請求項１】
動きを検知する複数のセンサを有する情報処理装置であって、
動きを検知する第１のセンサと、
動きを検知する第２のセンサと、
前記第１のセンサと前記第２のセンサの検知結果に応じて前記情報処理装置を制御する制御部とを有し、
前記第１のセンサが動きを検知し、前記第２のセンサが動きを検知しなかった場合に、前記制御部が所定の処理を行う情報処理装置。
【請求項２】
請求項１の情報処理装置であって、
前記第１のセンサと前記第２のセンサとは垂直方向に並んで設置される情報処理装置。
【請求項３】
請求項１の情報処理装置であって、
前記第１のセンサは前記第２のセンサの垂直方向上部に設置され、
前記第１のセンサが動きを検知し、前記第２のセンサが動きを検知しなかった場合に、前記制御部は前記情報処理装置の電源のＯＮ又はＯＦＦを実行する情報処理装置。
【請求項４】
動きを検知する第１のセンサと第２のセンサを有する情報処理装置における情報処理方法であって、
前記第１のセンサが動きを検知する第１の動き検知ステップと、
前記第２のセンサが動きを検知する第２の動き検知ステップと、
前記第１の動き検知ステップで動きを検知し、前記第２の動き検知ステップで動きを検知しなかった場合に、前記情報処理装置に対して所定の処理を行なうステップと
を有する情報処理方法。
【請求項５】
動きを検知する第１のセンサと第２のセンサとが垂直方向に並んで設置された情報処理装置における情報処理方法であって、
前記第１のセンサが動きを検知する第１の動き検知ステップと、
前記第２のセンサが動きを検知する第２の動き検知ステップと、
前記第１の動き検知ステップで動きを検知し、前記第２の動き検知ステップで動きを検知しなかった場合に、前記情報処理装置の電源のＯＮ又はＯＦＦを行うステップと、
を有する情報処理方法。
【請求項６】
動きを検知する複数のセンサを有する受信装置であって、
コンテンツを受信する受信部と、
前記受信部で受信したコンテンツの映像を表示する表示部と、
動きを検知する第１のセンサと、
動きを検知する第２のセンサと、
前記テレビジョン受像機を制御する制御部とを有し、
前記第１のセンサは前記第２のセンサの垂直方向上部に設置され、
前記制御部は前記第１のセンサが動きを検知し、前記第２のセンサが動きを検知しなかった場合に前記受信装置の電源のＯＮ又はＯＦＦを実行する受信装置。
【請求項７】
請求項６の受信装置であって、前記制御部は前記受信装置の電源のＯＦＦを実行する前に、前記受信装置の電源のＯＦＦを実行する旨の表示を前記表示部に表示させる受信装置。
【発明の詳細な説明】
【技術分野】
【０００１】
技術分野は、動きを検知する人感センサを利用した情報処理装置、情報処理方法及び受信装置に関する。
【背景技術】
【０００２】
消費電力を節約するために、人の動きを検知する人感センサを用いた機器が普及してきている。人感センサの適用例としては、照明があげられる。通常の照明は、所定のスイッチをＯＮすることにより、明かりをつけ、スイッチをＯＦＦすることにより明かりを消す仕組みになっている。この仕組みの場合、ユーザがスイッチのＯＦＦを忘れると照明はＯＮのままであり、無駄に電力を消費することになる。そこで、人感センサを使い、人の動きを検知したら明かりをつけ、人の動きを検知できなくなったら明かりを消すことにより、無駄に電力を消費することを防いでいる。
【０００３】
一方、この人感センサは省電力の観点から様々な機器に応用されてきている。例えば、下記特許文献１では、「テレビなどのＡＶ機器に人感センサを取り付け、通常モードと節電モードを設定して、それぞれのモードで人感センサの機能を働かせることによって、きめ細かな節電効果を達成することのできる人感センサ機能付きＡＶ機器を提供すること」を課題とし（特許文献１［０００７］参照）、「人の存在を感知する人感センサが設置され、手動で電源をオフし得る通常モードと節電効果を奏し得る節電モードとが設定された人感センサ機能付きＡＶ機器であって、前記節電モードが設定された場合、前記人感センサが規定された所定時間だけ人の存在を検知できないときには自動的に待機モードに切り替えられ、前記待機モードが規定された所定時間だけ経過すれば電源を自動的にオフする構成」が開示されている（特許文献１［０００８］参照）。
【先行技術文献】
【特許文献】
【０００４】
【特許文献１】特開２００７−９６４６２
【発明の概要】
【発明が解決しようとする課題】
【０００５】
特許文献１では、人感センサで人が動いているか動いていないかどうかを検知し、待機モードにするため、ユーザの意思に反して電源のオン、オフが行なわれてしまうおそれがある。また、人感センサを使ってユーザが能動的に機器の操作をすることは考慮されていない。
【課題を解決するための手段】
【０００６】
上記課題を解決するために、本発明の一実施の態様は、例えば動きを検知する第１のセンサと、  動きを検知する第２のセンサと、前記第１のセンサと前記第２のセンサの検知結果に応じて前記情報処理装置を制御する制御部とを有し、前記第１のセンサが動きを検知し、前記第２のセンサが動きを検知しなかった場合に、前記制御部が所定の処理を行うように構成する。
【発明の効果】
【０００７】
上記手段によれば、ユーザにとって使い勝手の良い装置を提供することができる。例えば、ユーザの意思に反して人感センサの検知に基づく処理が行なわれることを低減することができる。また、リモコン等を使わずに、端末を操作をすることができる。
【図面の簡単な説明】
【０００８】
【図１】使用外観を説明する図
【図２】複数の人感センサを使い、垂直方向上下に検知エリアを設けたことを説明する図。
【図３】実施例のシステムを説明するブロック図
【図４】人感センサを使った人の動き方を判定する処理を説明する流れ図
【図５】人の動き方判定方法をＴＶに適用した例を説明する図
【図６】人の動き方判定方法をＴＶに適用した例の表示画面を説明する図
【発明を実施するための形態】
【０００９】
[人感センサ]
本実施例における人感センサについて説明する。
人感センサとは、人間の動きを検知する感知器であり、人やものなどが感知エリアの中で動いたときに、その動きを検知して信号を送る装置のことである。人感センサの例としては、温度の絶対値を測定できるサーモパイル型赤外線センサや、焦電効果を利用して物体から放射される赤外線エネルギーを電気信号に変換する焦電センサなどがある。
【００１０】
人感センサは、人やものの動きを検出すると、その動きの大きさによって所定の値を出力する。本実施例においては、人やものの動きが大きいほど大きな値を出力すると仮定する。
[動き判定部の処理説明]
人１がどのような動きをしているかを検知する処理の例を図２および図４を用いて説明する。本実施例では、「全身が動いている」「上半身が動いている」「下半身が動いている」「動いてない」の４つの動きを定義する。
【００１１】
図２は、二つの人感センサを上下垂直方向に配置した例である。１０１ａは上側に配置した人感センサ、１０１ｂは下側に配置した人感センサであり、人感センサ１０１ａの検知エリアを２０１ａ、人感センサ１０１ｂの検知エリアを２０１ｂとしている。本実施例では、二つの人感センサを用いた例であるが、三つ以上の人感センサを利用してもよく、垂直方向に複数の検知エリアができればよい。
【００１２】
図４において、人感センサ１０１ａあるいは１０１ｂにおいて入力があったとき、つまり、人１の動きを検知したとき(図４のＳ４００１)、
「上側人感センサ１０１ａの出力値  ＞  所定値」かつ
「下側人感センサ１０１ｂの出力値  ＞  所定値」
の場合(図４のＳ４００２でＹｅｓの場合)、人１は「全身が動いてる」と判定する(図４のＳ４００３)。これは、上下両方の人感センサが反応しているということは、人は移動していたり、全身を動かしている状態であると判断できるからである。
【００１３】
次に、
「上側人感センサ１０１ａの出力値  ＞  所定値」かつ
「下側人感センサ１０１ｂの出力値  ＜  所定値」
の場合(図４のＳ４００４でＹｅｓの場合)、人１は「上半身が動いている」と判定する(図４のＳ４００３)。
これは、上側の人感センサのみ強く反応しているということは、人は移動等しているわけではなく、上半身のみ動かしていると判断できるからである。
【００１４】
次に、
「上側人感センサ１０１ａの出力値  ＜  所定値」かつ
「下側人感センサ１０１ｂの出力値  ＞  所定値」
の場合(図４のＳ４００６でＹｅｓの場合)、人１は「下半身が動いている」と判定する(図４のＳ４００７)。
これは、下側の人感センサのみ強く反応しているということは、人は移動等しているわけではなく、下半身のみ動かしていると判断できるからである。
【００１５】
Ｓ４００２、Ｓ４００４、Ｓ４００６のいずれでもＮｏの場合、つまり、
「上側人感センサ１０１ａの出力値  ＜  所定値」かつ
「下側人感センサ１０１ｂの出力値  ＜  所定値」
の場合は、人１は「動いてない」と判定する(図４のＳ４００８)。
【００１６】
ここで、所定値は、ユーザによって任意に設定できるようにしておいてもよい。所定値を小さくすれば、より敏感に反応し、所定値を大きくすれば鈍感に反応するようになる。
【００１７】
また、本実施例では、人感センサの１回の検出結果から、動き方を判定しているが、所定期間内に所定回数の検出結果を考慮して動き方を判定してもよい。例えば、所定期間に各人感センサの所定回数の移動平均を算出し、その結果をもって動き方を判定することも考えられる。
[ＴＶへの適用例]
前記動き判定部をＴＶに適用した例を、図１、図３、図５、図６を用いて説明する。
【００１８】
図１は、使用イメージを説明する図であり、１００はＴＶ、１０１は人感センサ、１０５は表示部、１は人である。ここで、人感センサを取り付ける位置は図１で示した位置に限定されない。また、人感センサ１０１は、複数の人感センサを別々の位置に取り付けてもよいし、ひとつにパッケージしてもよい。
【００１９】
なお、図１では人１が、例えば手を振るなどの動作をすることにより、ＴＶに対して命令を送ることを想定している。
【００２０】
図３は、ＴＶ１００に適用したときのブロック図の例である。図３においては本実施例の説明に必要なブロックを示しており、地上波、衛星、インターネット回線等を通じてコンテンツを受信する受信部や、受信したコンテンツのデスクランブル、デコード処理等を行うブロックについては省略する。１０１は人やものの動きを検知する人感センサ部、１０２は人の動きを検知し、どのような動きかを判定する動き判定部、１０３は各種制御を行うＣＰＵなどの制御部、１０４は各種情報を記憶する記憶部、１０５は各種情報や受信したコンテンツの映像を表示するディスプレイなどの表示部である。なお、動き判定部１０２はＣＰＵ１０３に含まれていても良い。
【００２１】
ＴＶ１００では、人感センサ部１０１で人の動きを検出すると所定の値を出力し、該出力を動き判定部１０２に入力し、人１の動きを判定する。
【００２２】
ＴＶ１００での適用例としては、例えば動き判定部１０２での判定の結果が「上半身が動いている」であった場合(図４のＳ４００５でＹｅｓの場合)、ＴＶ１００の電源をＯＦＦあるいはＯＮするようにし(図４のＳ４０１０)、下半身が動いている場合、全身が動いている場合、又は動いていない場合（図４のＳ４００３、Ｓ４００７、又はＳ４００８の場合）、ＴＶ１００の電源をＯＮ、ＯＦＦは行わない（図４のＳ４００９、Ｓ４０１１、又はＳ４０１２）ということが考えられる。
【００２３】
これにより、ＴＶ１００の使用者は、リモコン等を使用することなく能動的にＴＶ１００の電源制御を行うことが可能となる。そして、例えばテレビの前を単に横切った場合（すなわち、上部センサ、下部センサの双方が動きを検知した場合（Ｓ４００３の場合））や、ペット等の小動物が床付近を移動した場合（すなわち、下部センサのみ動きを検知した場合（Ｓ４００７の場合））等、ユーザがＴＶの操作を行う意思が無いにも関わらず人感センサが動きを検知した場合に、ユーザの意思に反してＴＶ１００の電源がＯＮ、ＯＦＦ等されることを防ぐことができる。
【００２４】
また、前記の例では動き判定部１０２での判定の結果が「上半身が動いている」と判定した場合、即時電源のＯＦＦを実施していたが、動き判定部１０２での判定の結果が「上半身が動いている」と判定した場合(図５のＳ６００１)、所定時間後に電源ＯＦＦするメッセージを表示(図５のＳ６００２)し、所定時間後に電源をＯＦＦしてもよい(図５のＳ６００３)。図６は、前記メッセージの例であり、メッセージを使用者に通知することにより、安心感を与えることが可能となる。
【００２５】
また、前記の例では上半身が動いていると判定した場合にＴＶ１００の電源をＯＦＦあるいはＯＮする構成を示したが、例えば上半身に障害があるユーザのために、下半身が動いている場合にＴＶ１００の電源をＯＦＦあるいはＯＮするようにし、その他の場合にはＴＶ１００の電源のＯＮ、ＯＦＦは行わないようにユーザが適宜設定を変更できるようにしてもよい。  これにより、上半身に障害があるユーザにとっても使い勝手の良い装置を提供することができる。
【００２６】
また、前記の例では上半身が動いていると判定した場合に処理を行う構成を示したが、例えば上半身が動いている場合（上部センサのみ動きを検知している場合）にはＴＶの音量を上げ、下半身が動いている場合（下部センサのみ動きを検知している場合）にはＴＶの音量を下げる等、センサの検知結果（図４のＳ４００３、Ｓ４００５、Ｓ４００７、又はＳ４００８それぞれの場合）に応じて種々の処理を行うよう設定しても良い。
【００２７】
これにより、ユーザの動作に応じて様々な処理を行なうことができるため、ユーザにとって使い勝手の良い装置を提供することができる。
【００２８】
また、前記の例では上半身が動いている場合にＴＶの電源のＯＮ、ＯＦＦすることについて説明したが、これに限定されない。例えば、ＴＶ以外の装置（例えばエアコンやパソコン等）や、電源のＯＮ、ＯＦＦ以外の処理（例えばＴＶについて映像を表示しないようにし、音声のみ再生するようにする処理等）にも適用することができる。
【符号の説明】
【００２９】
１ 人
１００  ＴＶ
１０１,１０１ａ,１０１ｂ  人感センサ
１０２  動き判定部
１０３  制御部
１０４  記憶部
１０５  表示部
２０１ａ,２０１ｂ  人感センサの検知エリア
Ｓ４００１−Ｓ４００８  動きを判定する流れ図のステップ
Ｓ６００１−Ｓ６００３  動き判定結果をＴＶの電源制御に応用したときのステップ
【図１】
2011028529.tif 000003
【図２】
2011028529.tif 000004
【図３】
2011028529.tif 000005
【図４】
2011028529.tif 000006
【図５】
2011028529.tif 000007
【図６】
2011028529.tif 000008